(57)【要約】【課題】カフ圧力を自動的に加圧する際、重なったカフどうしの擦れによるノイズの発生を抑制し、カフ圧力の自動加圧の信頼性を大幅に向上させることができる血圧計の提供を目的とする。【解決手段】カフ１は、一端部が他端部を内側に巻き込んだ環状状態で血圧測定を行う血圧計に用いられ、カフ１の一端部と他端部の擦れ合う表面の少なくとも一方に、起毛生地６１からなるクッション部材６を設けた構成としてある。【選択図】図１
2008246045.tif 000002
【特許請求の範囲】
【請求項１】
カフの一端部が該カフの他端部を内側に巻き込んだ環状状態で血圧測定を行う血圧計において、
前記カフの一端部と他端部の擦れ合う表面の少なくとも一方に、クッション部材を設けたことを特徴とする血圧計。
【請求項２】
前記クッション部材が、起毛生地であることを特徴とする請求項１に記載の血圧計。
【請求項３】
カフの一端部が該カフの他端部を内側に巻き込んだ環状状態で血圧測定を行う血圧計において、
前記カフの一端部と他端部の擦れ合う表面の少なくとも一方に、滑り手段を設けたことを特徴とする血圧計。
【請求項４】
前記滑り手段が、前記カフの一端部の先端付近、及び／又は、前記カフの他端部の先端付近に設けられたことを特徴とする請求項３に記載の血圧計。
【請求項５】
前記滑り手段が、前記カフの一端部と他端部の少なくとも一方と接触し、かつ、前記一端部と他端部とが滑る方向に回転自在な回転部材を備えることを特徴とする請求項３又は４に記載の血圧計。
【請求項６】
前記滑り手段が、前記カフの一端部と他端部とが滑る方向と直交する方向に設けられた軸を有し、前記回転部材に形成された貫通孔に前記軸が挿入されたことを特徴とする請求項５に記載の血圧計。
【請求項７】
前記回転部材が、円筒部材及び／又は球状部材であることを特徴とする請求項５又は６に記載の血圧計。
【請求項８】
前記滑り手段が、複数の回転部材を備えることを特徴とする請求項５〜７のいずれか一項に記載の血圧計。
【請求項９】
前記滑り手段が、前記カフの一端部と他端部とが滑る方向と直交する方向に設けられた断面円形の棒部材であることを特徴とする請求項３又は４に記載の血圧計。
【請求項１０】
前記滑り手段が、前記カフの一端部と他端部の少なくとも一方と接触する低摩擦シートであることを特徴とする請求項３又は４に記載の血圧計。
【発明の詳細な説明】
【技術分野】
【０００１】
本発明は、血圧計に関し、特に、自動血圧計に使用され、カフ圧を加圧適正値まで加圧するために、重なり合ったカフどうしの擦れによるノイズの発生を抑制するノイズ発生抑制手段を備えた血圧計に関する。
【背景技術】
【０００２】
近年、血圧計は、病院等に限らず、健康管理を目的として、一般家庭にも広く普及してきた。これら一般家庭用の血圧計は、通常、操作が簡単な自動血圧計である。
自動血圧計は、様々な測定方式や構成のものが開発されているが、その一つに、オシロメトリック式電子血圧計がある。このオシロメトリック式電子血圧計は、カフ圧上に重畳した脈波を検出し、この脈波の振幅変化にもとづいて血圧を算出する。
【０００３】
上記オシロメトリック式電子血圧計１００は、図５に示すように、空気袋１１１及びコア１１２を有するカフ１１０と、配管１１６を介して空気袋１１１と連通した、圧力センサ１１３、ポンプ１１４及び排気弁１１５と、圧力センサ１１３、ポンプ１１４及び排気弁１１５と接続された情報処理装置１２０と、情報処理装置１２０と接続された操作スイッチ１２１及び表示器１２２とからなっている。
カフ１１０は、血圧測定の際、一端部が他端部を内側に巻き込んだ環状状態で、上腕に取り付けられる。また、情報処理装置１２０は、圧力センサ１１３からフィルタやＡ／Ｄ変換器（図示せず）を介して圧力信号を入力し、ポンプ１１４及び排気弁１１５を制御する。
【０００４】
また、オシロメトリック式電子血圧計１００は、図６に示すように、まず、カフ圧力が、加圧適正値まで加圧され、その後徐々に減圧される過程で、収縮期血圧（最高血圧）及び拡張期血圧（最低血圧）を測定する。この際、オシロメトリック法では、収縮期血圧に対応するＳ点、脈波振幅の極大点（Ｐ点）及び拡張期血圧に対応するＤ点を含む脈波振幅の変化パターン（脈波包絡線）の全体が必要となる。
すなわち、オシロメトリック式電子血圧計１００は、測定動作に入るまでに予めＳ点以上の加圧を行っておく必要がある。仮に、Ｓ点以上の加圧（加圧適正値までの加圧）が達成されていないと、血圧測定動作中に、Ｐ点検出時点でＳ点不在となり、収縮期血圧（最高血圧）を算出できず測定失敗となる。
【０００５】
（従来例）
また、自動血圧計に関して、様々な技術が開発されてきた。
例えば、特許文献１には、カフの加圧過程で圧力センサにより脈波信号を検出し、この脈波信号から最大振幅の脈波を検出し、このときのカフ圧力に所定の値を加えた圧力を加圧適正値とし、この加圧適正値までカフを加圧するようにした、カフ圧の自動設定方法の技術が開示されている。
また、特許文献２には、カフ加圧中に脈波振幅の最大値を検出して、その最大値をもとにしきい値を計算するしきい値算出手段と、このしきい値算出手段により算出したしきい値と加圧中の脈波振幅とを比較し、加圧中の脈波振幅がしきい値より小さいか否かを判断する判断手段と、この判断手段により加圧中の脈波振幅がしきい値より小さいと判断された時点で、脈波振幅の直線補完を行い、この直線補完値に対応する圧力値を最高血圧の推定値とする最高血圧推定手段と、この最高血圧推定手段が推定した推定値に対して圧力値が所定圧分上昇した時点でカフ加圧を停止させる加圧設定手段とを設けた電子血圧計の技術が開示されている。
【０００６】
さらに、特許文献３には、駆血用袋と脈波検出用袋との間に設けられた振動遮蔽板とを備え、振動遮蔽板と脈波検出用袋との間に、振動遮蔽板と脈波検出用袋との接触を防止する滑り布を設けた血圧測定用二重カフの技術が開示されている。
この技術によれば、血圧測定中に摩擦によって生じるノイズを少なくすることができる。
【特許文献１】特開平１−２５６９３０号公報
【特許文献２】特許第２８４２６９６号公報
【特許文献３】特開２００４−３２１２５１号公報
【発明の開示】
【発明が解決しようとする課題】
【０００７】
しかしながら、特許文献１，２に記載された技術は、カフ圧力を加圧適正値まで自動的に加圧することを可能とする技術ではあるものの、加圧中の圧力信号から被験者の微小な脈波信号を精度よく検出できることが前提条件となっている。また、一端部が他端部を内側に巻き込んだ環状状態で腕に巻き付けられたカフ１１０は、空気袋１１１に空気が供給されると、腕を締め付けるとともに、重なったカフ１１０どうしが擦れる場合がある。この擦れは、通常、微小距離の擦れであるが、この擦れによるノイズを脈波信号として誤って検出すると、カフ圧力を自動的に設定することができなくなる、あるいは、誤ったカフ圧力に設定してしまうといった問題があった。
また、特許文献３に記載された技術は、血圧測定用二重カフにおいて、血圧測定中に摩擦によって生じるノイズを低減する技術であり、上記問題を効果的に解決することができないといった問題があった。
【０００８】
本発明は、以上のような従来の技術が有する問題を解決するために提案されたものであり、カフ圧力を自動的に加圧する際、重なったカフどうしの擦れによるノイズの発生を抑制し、カフ圧力の自動加圧の信頼性を大幅に向上させることができる血圧計の提供を目的とする。
【課題を解決するための手段】
【０００９】
上記目的を達成するため、本発明の血圧計は、カフの一端部が該カフの他端部を内側に巻き込んだ環状状態で血圧測定を行う血圧計において、前記カフの一端部と他端部の擦れ合う表面の少なくとも一方に、クッション部材を設けた構成としてある。
このようにすると、まず、カフが環状状態で腕に締め付けられ、続いて、空気袋に空気が送入されると、腕を圧迫しようとする力の反作用により、カフの一端部と他端部が離れる方向に移動する。この際、クッション部材によって、カフどうしの擦れによるノイズの発生が抑えられるので、カフ圧力の自動加圧の信頼性を大幅に向上させることができる。
【００１０】
また、好ましくは、前記クッション部材が、起毛生地であるとよい。
このようにすると、クッション部材を単純かつ廉価な部材とすることができるので、製造原価のコストダウンを図ることができる。
【００１１】
上記目的を達成するため、本発明の血圧計は、カフの一端部が該カフの他端部を内側に巻き込んだ環状状態で血圧測定を行う血圧計において、前記カフの一端部と他端部の擦れ合う表面の少なくとも一方に、滑り手段を設けた構成としてある。
このようにすると、まず、カフが環状状態で腕に締め付けられ、続いて、空気袋に空気が送入されると、腕を圧迫しようとする力の反作用により、カフの一端部と他端部が離れる方向に移動する。この際、滑り手段によって、カフの一端部と他端部とが擦れることなく滑ってくれるので、カフどうしの擦れによるノイズの発生が抑えられる。したがって、カフ圧力の自動加圧の信頼性を大幅に向上させることができる。
【００１２】
また、好ましくは、前記滑り手段が、前記カフの一端部の先端付近、及び／又は、前記カフの他端部の先端付近に設けられているとよい。
このようにすると、カフどうしの擦れが発生する可能性の高い場所に、滑り手段を効率よく配置することができる。
【００１３】
また、好ましくは、前記滑り手段が、前記カフの一端部と他端部の少なくとも一方と接触し、かつ、前記一端部と他端部とが滑る方向に回転自在な回転部材を備えるとよい。
このようにすると、カフの一端部と他端部とを円滑に滑らせ、擦れによるノイズ発生をより効果的に抑えることができる。
【００１４】
また、好ましくは、前記滑り手段が、前記カフの一端部と他端部とが滑る方向と直交する方向に設けられた軸を有し、前記回転部材に形成された貫通孔に前記軸が挿入されているとよい。
このようにすると、滑り手段を単純な構成とすることができるので、製造原価のコストダウンを図ることができる。
また、さらに好ましくは、軸の両端を、コアとこのコアを覆うカバーとの間に収納するとよく、このようにすると、特別な軸受を設けなくても軸を容易に保持することができる。
【００１５】
また、好ましくは、前記回転部材が、円筒部材及び／又は球状部材であるとよい。
このようにすると、回転部材とカフとの接触面積が低減されるので、擦れによるノイズをより低減することができる。
【００１６】
また、好ましくは、前記滑り手段が、複数の回転部材を備えるとよい。
このようにすると、複数の回転部材によって、擦れによるノイズをより確実に低減することができる。
また、さらに好ましくは、複数の回転部材がカフの先側（例えば、上腕に対する手首側）から元側（例えば、上腕に対する肩側）にわたって配設されているよい。このようにすると、カフが装着される腕が、先側と元側とで太さが異なり、滑り量が先側と元側とで大きく異なる場合であっても、先側の回転部材と元側の回転部材とで回転量を変えることができ、擦れによるノイズをさらに確実に低減することができる。
【００１７】
また、好ましくは、前記滑り手段が、前記カフの一端部と他端部とが滑る方向と直交する方向に設けられた断面円形の棒部材であるとよい。
このようにすると、滑り手段を単純な構成とすることができるので、製造原価のコストダウンを図ることができる。
【００１８】
また、好ましくは、前記滑り手段が、前記カフの一端部と他端部の少なくとも一方と接触する低摩擦シートであるとよい。
このようにすると、滑り手段を単純な構成とすることができるので、製造原価のコストダウンを図ることができる。
【発明の効果】
【００１９】
本発明の血圧計によれば、カフ圧力を自動的に加圧する際、重なったカフどうしの擦れによるノイズの発生を抑制し、カフ圧力の自動加圧の信頼性を大幅に向上させることができる。
【発明を実施するための最良の形態】
【００２０】
［血圧計の第一実施形態］
以下、本発明の血圧計の第一実施形態について、図面を参照して説明する。
図１は、本発明の第一実施形態に係る血圧計に用いられるカフの概略斜視図を示している。
また、図２は、本発明の第一実施形態に係る血圧計に用いられるカフの、要部の概略展開図を示している。
図１、２において、カフ１は、自動血圧計に用いられる自動血圧計用腕帯（カフ）であり、コア２、空気袋３、締付手段５及びクッション部材６などを備えている。このカフ１は、一端部が他端部を内側に巻き込んだ環状状態で自動血圧測定を行う。
なお、自動血圧測定を行う構成は、上記オシロメトリック式電子血圧計１００とほぼ同様としてある。
【００２１】
空気袋３は、矩形状としてあり、コア２の内側に両面テープ（図示せず）などで貼り付けられている。また、空気袋３は、外側の面に上記配管１１６（図５参照）と連結するためのジョイント３１が突出してある。このジョイント３１は、コア２及び外カバー２２を貫通して外側に露出している。また、空気袋３は、通常、コア２より長手寸法が短い形状であり、他端部側に寄った状態で設けられている。
なお、空気袋３を固定するための構成は、上記構成に限定されるものではない。たとえば、図示してないが、空気袋３の長手方向両端の外周部に縫製しろを設け、空気袋３とコア２に設けた縫製しろとを縫合することによって、空気袋３をコア２に固定してもよい。
【００２２】
コア２は、樹脂製のほぼ矩形状のシートであり、上述したように空気袋３が内側に設けられている。空気袋３の貼り付けられたコア２は、内面を覆うほぼ矩形状の内カバー２１と外面を覆う矩形状の外カバー２２によって挟まれるように、内カバー２１及び外カバー２２に収納されている。内カバー２１及び外カバー２２は、通常、樹脂製の布が用いられ、コア２及び空気袋３を挟んだ状態で、下記切欠２６を除く周縁部が糸２３によって縫合されている。
【００２３】
本実施形態のクッション部材６として、例えば、面ファスナーのループ面などのような起毛生地６１を用いている。この起毛生地６１は、カフ１の一端部などと接触するように、カフ１の他端部から縮径されたカフ１の一端部が到達する位置までの比較的広い範囲にわたって、外カバー２２に縫い付けられている。すなわち、起毛生地６１は、カフ１の一端部と他端部との擦れが発生する可能性の高い場所に、効率よく配置される。このように、起毛生地６１は、カフ１の一端部と他端部とが擦れる位置に配置され、擦れにより発生する振動を起毛で吸収する。これにより、擦れの振動に起因するノイズ発生を効果的に防止することができる。
なお、クッション部材６が設けられる位置は、上記位置に限定されるものではなく、たとえば、カフ１の一端部の先端付近でもよく、また、カフ１の一端部の先端付近及び他端部の先端部付近の両方に、クッション部材６が設けられてもよい。
なお、起毛生地６１の種類、厚さ、大きさ、数量、取り付け位置などは、任意に選択することができる。
【００２４】
また、好ましくは、カフ１の一端部に棒部材４３を備えてもよい。この棒部材４３は、断面が円形であり、カフ１の一端部と他端部とが滑る方向と直交する方向に設けられている。すなわち、棒部材４３は、カフ１の他端部側と線接触し、一端部と他端部側との摩擦抵抗を低減させる。これにより、一端部と他端部側とを円滑に滑らせ、擦れによるノイズの発生を抑えることができる。このような棒部材４３によれば、第二実施形態の滑り手段４に比べ、単純な構成とすることができるので、製造原価のコストダウンが図られる。
【００２５】
また、上記棒部材４３は、後述する第二実施形態の滑り手段４と同様に、コア２の切欠２６に設けられている。すなわち、棒部材４３は、カフ１の一端部の先端付近に設けられている。これにより、棒部材４３は、カフ１の一端部と他端部との擦れが発生する可能性の高い場所に、効率よく配置される。
なお、棒部材４３が設けられる位置は、上記位置に限定されるものではなく、たとえば、カフ１の他端部の先端付近でもよく、また、カフ１の一端部の先端付近及び他端部の先端部付近の両方に、棒部材４３が設けられてもよい。
【００２６】
また、棒部材４３は、第二実施形態の軸４２と同様に、両端が、コア２とこのコア２を覆う外カバー２２との間に収納されている。また、棒部材４３の両端をより確実に位置決めするために、棒部材４３の両端の他端部側において、棒部材４３に沿って、外カバー２２、コア２及び内カバー２１が糸２５により縫合されている。このようにすると、棒部材４３の両端が容易に保持される。
このようにすると、カフ１の他端部側に起毛生地６１を備えているので、カフ１の一端部と他端部側とを棒部材４３で滑らせながら、擦れによる振動を起毛部材６１で吸収するという複合的な作用により、擦れによるノイズ発生をより効果的に抑えることができる。
なお、棒部材４３は、回動自在に保持してもよいし、回動不能に保持してもよい。また、棒部材４３は、比較的細い丸棒であるが、その径寸法は任意に変更できる。また、棒部材４３は、強度的に金属製であることが好ましいが、樹脂製であってもよい。
【００２７】
締付手段５は、コア２及び空気袋３などを上腕に締め付け、その締め付け状態を保持する手段であり、締付け用ベルト５１、撮み５２、基台５３及び開放レバー５４などを備えている。
基台５３は、接着や溶着などによりコア２のほぼ中央部に取り付けられている。締付け用ベルト５１は、一端が基台５３に連結され、コア２と外カバー２２に挟まれた状態で一端部側まで収められている。また、外カバー２２と円筒部材４１の間から外側に露出した締付け用ベルト５１は、撮み５２と連結されたピニオン（図示せず）にラックが係合している。
上記構成の締付手段５は、撮み５２が時計回り方向に回されると、締付け用ベルト５１が、コア２及び空気袋３などが縮径するように締め付け、その締付け状態を保持する。そして、血圧が測定され、開放レバー５４が押下されると、締付け状態を開放する。
【００２８】
次に、上記構成のカフ１のクッション部材６などに関する動作について、説明する。
まず、血圧を測定しようとする被験者は、腕をカフ１に挿入し、カフ１が上腕に達したところで、撮み５２を回転させる。締付け用ベルト５１が、コア２及び空気袋３などが縮径するように上腕を軽く締め付け、所定の締付け力に到達すると、トルクリミッター機構により撮み５２が空回りし、この締付け状態が保持される。
【００２９】
次に、配管１１６が接続されたジョイント３１から空気袋３に空気が送入されると、空気袋３が、腕を圧迫する。このとき、配管１１６と連通した圧力センサ１１３は、上述したように脈波を含んだ圧力信号を検出し、圧力信号を情報処理装置１２０に出力している。
そして、空気袋３に空気が送入されるにつれて、空気袋３が、より大きな力で腕を圧迫し、この力の反作用により、カフ１の一端部と他端部が離れる方向に、微小距離だけ移動する。この際、カフ１の一端部と他端部とが多少擦れたとしても、起毛生地６１からなるクッション部材６によって、擦れによる振動を吸収するので、擦れの振動に起因するノイズ発生を効果的に抑制することができる。
さらに、カフ１は、滑る方向と直交する方向に設けられた棒部材４３によって、その一端部と他端部とが擦れることなく滑ってくれるので、擦れによるノイズ発生をより効果的に抑えることができる。
【００３０】
このようにカフ１は、この擦れによるノイズ発生を効果的に抑えることができるので、ノイズを脈波信号として誤って検出してしまい、カフ圧力を自動的に設定することができなくなる、あるいは、誤ったカフ圧力に設定してしまうといった不具合を効果的に防止することができる。したがって、カフ１を用いた自動血圧計は、カフ圧力の自動加圧の信頼性を大幅に向上させることができる。
なお、本実施形態では、クッション部材６である起毛生地６１に加え、棒部材４３を設けているが、棒部材４３を設けず起毛生地６１だけを設ける構成としてもよく、ほぼ同様の効果を得ることができる。
【００３１】
［血圧計の第二実施形態］
以下、本発明の血圧計の第二実施形態について、図面を参照して説明する。ただし、前記実施形態と共通の構成については、前記実施形態と同じ符号を付けることにより、前記実施形態の説明を援用する。
図３は、本発明の第二実施形態に係る血圧計に用いられるカフの概略斜視図を示している。
また、図４は、本発明の第二実施形態に係る血圧計に用いられるカフの、要部の概略展開図を示している。
これらの図に示すように、第二実施形態の自動血圧計に用いられるカフ１Ｂは、クッション部材６の代わりに滑り手段４を備えている点が第一実施形態と相違している。
なお、自動血圧測定を行う構成は、上記オシロメトリック式電子血圧計１００とほぼ同様としてある。
【００３２】
本実施形態のカフ１Ｂは、コア２の一端部の先端のほぼ中央部に、腕方向に延びた帯状の切欠２６が形成されており、この切欠２６の位置に滑り手段４が設けられている。すなわち、滑り手段４は、カフ１Ｂの一端部の先端付近に設けられている。これにより、滑り手段４は、カフ１Ｂの一端部と他端部との擦れが発生する可能性の高い場所に、効率よく配置される。また、内カバー２１は、上記切欠２６に対応してほぼ同じ形状に切断されており、この切断部は、糸２４によってコア２と縫合されている。
【００３３】
なお、滑り手段４が設けられる位置は、上記位置に限定されるものではなく、たとえば、カフ１Ｂの他端部の先端付近でもよく、また、カフ１Ｂの一端部の先端付近及び他端部の先端部付近の両方に、滑り手段４が設けられてもよい。さらに、カフ１Ｂの一端部と他端部と間に、滑り手段４が設けられてもよい。
【００３４】
滑り手段４は、回転部材としての樹脂製の円筒部材４１と、この円筒部材４１に挿入される鋼製の軸４２を有している。
円筒部材４１は、図示してないが、中心軸に沿って貫通孔が形成されており、この貫通孔に軸４２が挿入される。また、軸４２は、一端部と他端部とが滑る方向と直交する方向に設けられている。これにより、円筒部材４１は、他端部側の外カバー２２と接触し、かつ、一端部と他端部とが滑る方向（適宜、滑り方向と略称する。）に自在に回転する。なお、滑り方向とは、一端部と他端部とが互いに周方向に離れる方向をいい、図３に示すように、一端部にとっては、時計回り方向が滑り方向となり、他端部にとっては、反時計回り方向が滑り方向となる。上記軸４２を用いた構成とすることにより、滑り手段４を単純な構成とすることができ、製造原価のコストダウンが図られる。
【００３５】
また、軸４２は、円筒部材４１から突き出た両端が、コア２とこのコア２を覆う外カバー２２との間に収納されている。また、上記軸４２の両端をより確実に位置決めするために、軸４２の両端の他端部側において、軸４２に沿って、外カバー２２、コア２及び内カバー２１が糸２５により縫合されている。このようにすると、特別な軸受を設けなくても軸４２の両端が容易に保持される。
【００３６】
また、円筒部材４１は、他端部側の外カバー２２と線接触し、接触面積が低減されるので、擦れによるノイズがより低減される。
なお、本実施形態では、回転部材として円筒部材４１を設けたが、回転部材は、円筒部材４１に限定されるものではなく、たとえば、球状部材や樽状部材などを用いてもよい。また、円筒部材４１と球状部材などを組み合わせて用いてもよい。さらに、円筒部材４１の外径を異ならせてもよい。
【００３７】
また、滑り手段４は、軸４２に５つの円筒部材４１を備えている。このように、複数の回転部材を備えることにより、擦れによるノイズがより確実に低減される。
また、滑り手段４は、５つの円筒部材４１がカフ１Ｂの先側から元側にわたって配設されている。このようにすると、カフ１Ｂが装着される腕が、先側と元側とで太さが異なり、滑り量が先側と元側とで大きく異なる場合であっても、先側の円筒部材４１と元側の円筒部材４１とで回転量を変えることができ、擦れによるノイズがさらに確実に低減される。
なお、円筒部材４１の数量は、５つに限定されるものではなく、たとえば、３つでもよい。また、円筒部材４１の数量は、一つより複数あった方が好ましく、先側と元側の回転量の変化に対応できる。
【００３８】
次に、上記構成のカフ１Ｂの滑り手段４に関する動作について、説明する。
まず、血圧を測定しようとする被験者は、腕をカフ１Ｂに挿入し、カフ１Ｂが上腕に達したところで、撮み５２を回転させる。締付け用ベルト５１が、コア２及び空気袋３などが縮径するように上腕を軽く締め付け、所定の締付け力に到達すると、トルクリミッター機構により撮み５２が空回りし、この締付け状態が保持される。
【００３９】
次に、配管１１６が接続されたジョイント３１から空気袋３に空気が送入されると、空気袋３が、腕を圧迫する。このとき、配管１１６と連通した圧力センサ１１３は、上述したように脈波を含んだ圧力信号を検出し、圧力信号を情報処理装置１２０に出力している。
そして、空気袋３に空気が送入されるにつれて、空気袋３が、より大きな力で腕を圧迫し、この力の反作用により、カフ１Ｂの一端部と他端部が離れる方向に、微小距離だけ移動する。この際、カフ１Ｂは、滑り方向に回転する円筒部材４１を有する滑り手段４によって、その一端部と他端部とが擦れることなく滑ってくれるので、擦れによるノイズ発生を効果的に抑えることができる。カフ１Ｂは、この擦れによるノイズ発生を効果的に抑えることができるので、ノイズを脈波信号として誤って検出してしまい、カフ圧力を自動的に設定することができなくなる、あるいは、誤ったカフ圧力に設定してしまうといった不具合を効果的に防止することができる。したがって、本実施形態の自動血圧計は、カフ圧力の自動加圧の信頼性を大幅に向上させることができる。
【００４０】
以上、本発明の血圧計について、好ましい実施形態を示して説明したが、本発明に係る血圧計は、上述した実施形態にのみ限定されるものではなく、本発明の範囲で種々の変更実施が可能であることは言うまでもない。
例えば、血圧計は、オシロメトリック式電子血圧計に限定されるものではなく、たとえば、コロトコフ音にもとづいて血圧を測定する自動血圧計にも適用することができる。
また、カフは、締付け用ベルト５１を用いた締付手段５を備えた構成としてあるが、本発明は、締付手段５の代わりに、たとえば、圧迫固定用空気袋などを備えたカフにも適用することができる。
【００４１】
また、第一実施形態では、起毛生地６１からなるクッション部材６と、棒部材４３とを組み合せたが、起毛生地６１からなるクッション部材６と、回転部材４１及び軸４２を有する第二実施形態の滑り手段４と組み合せてもよい。また、起毛生地６１からなるクッション部材６は、カフに単独で設けることも可能である。
【００４２】
また、本発明の滑り手段は、前記実施形態に示した滑り手段４に限定されない。例えば、カフの一端部と他端部の少なくとも一方と接触する低摩擦シートを滑り手段として用いることができる。低摩擦シートとしては、シリコーンがコーティングされた剥離シートが好適であり、この場合には、剥離シートの流用により製造原価のコストダウンを図ることができる。なお、剥離シートは、第一実施形態の起毛生地６１と同様の位置に貼り付けることが可能であるが、剥離シートの貼り付け位置、大きさ、数量などは任意に変更することができる。
さらに、円筒部材４１と軸４２とからなる滑り手段４の代わりに、第一実施形態の棒部材４３を滑り手段として用いてもよい。
【産業上の利用可能性】
【００４３】
以上説明したように、本発明の血圧計に用いられるカフは、血圧計用腕帯に用いられる場合に限定されるものではなく、たとえば、加圧中の脈波を精度よく測定する必要のある、止血用のカフなどとしても有効に適用することができる。
【図面の簡単な説明】
【００４４】
【図１】図１は、本発明の第一実施形態に係る血圧計に用いられるカフの概略斜視図を示している。
【図２】図２は、本発明の第一実施形態に係る血圧計に用いられるカフの、要部の概略展開図を示している。
【図３】図３は、本発明の第二実施形態に係る血圧計に用いられるカフの概略斜視図を示している。
【図４】図４は、本発明の第二実施形態に係る血圧計に用いられるカフの、要部の概略展開図を示している。
【図５】図５は、従来のオシロメトリック式電子血圧計の要部の概略ブロック図を示している。
【図６】図６は、従来のオシロメトリック式電子血圧計における、カフ圧力と脈波振幅を説明するグラフを示している。
【符号の説明】
【００４５】
１，１Ｂ  カフ
２  コア
３  空気袋
４  滑り手段
５  締付手段
６  クッション部材
２１  内カバー
２２  外カバー
２３，２４，２５  糸
２６  切欠
３１  ジョイント
４１  円筒部材
４２  軸
４３  棒部材
５１  締付け用ベルト
５２  撮み
５３  基台
５４  開放レバー
６１  起毛生地
１００  オシロメトリック式電子血圧計
１１０  カフ
１１１  空気袋
１１２  コア
１１３  圧力センサ
１１４  ポンプ
１１５  排気弁
１１６  配管
１２０  情報処理装置
１２１  操作スイッチ
１２２  表示器
【図１】
2008246045.tif 000003
【図２】
2008246045.tif 000004
【図３】
2008246045.tif 000005
【図４】
2008246045.tif 000006
【図５】
2008246045.tif 000007
【図６】
2008246045.tif 000008
【手続補正書】
【提出日】平成20年6月11日(2008.6.11)
【手続補正１】
【補正対象書類名】特許請求の範囲
【補正対象項目名】請求項１
【補正方法】変更
【補正の内容】
【請求項１】
カフの一端部が該カフの他端部を内側に巻き込んだ環状状態で血圧測定を行う血圧計において、
前記カフを縮径させる締め付けベルトを有し、前記カフの一端部と他端部の擦れ合う表面の少なくとも一方の表面であって、前記締め付けベルトが重なる領域にクッション部材を設けたことを特徴とする血圧計。
【手続補正２】
【補正対象書類名】特許請求の範囲
【補正対象項目名】請求項３
【補正方法】変更
【補正の内容】
【請求項３】
カフの一端部が該カフの他端部を内側に巻き込んだ環状状態で血圧測定を行う血圧計において、
前記カフを縮径させる締め付けベルトを有し、前記カフの一端部と他端部の擦れ合う表面の少なくとも一方の表面であって、前記締め付けベルトが重なる領域に滑り手段を設けたことを特徴とする血圧計。
【手続補正３】
【補正対象書類名】明細書
【補正対象項目名】０００９
【補正方法】変更
【補正の内容】
【０００９】
上記目的を達成するため、本発明の血圧計は、カフの一端部が該カフの他端部を内側に巻き込んだ環状状態で血圧測定を行う血圧計において、前記カフを縮径させる締め付けベルトを有し、前記カフの一端部と他端部の擦れ合う表面の少なくとも一方の表面であって、前記締め付けベルトが重なる領域にクッション部材を設けた構成としてある。
このようにすると、まず、ベルトによってカフが環状状態で腕に締め付けられ、続いて、空気袋に空気が送入されると、腕を圧迫しようとする力の反作用により、カフの一端部と他端部が離れる方向に移動する。この際、クッション部材によって、カフどうしの擦れによるノイズの発生が抑えられるので、カフ圧力の自動加圧の信頼性を大幅に向上させることができる。
【手続補正４】
【補正対象書類名】明細書
【補正対象項目名】００１１
【補正方法】変更
【補正の内容】
【００１１】
上記目的を達成するため、本発明の血圧計は、カフの一端部が該カフの他端部を内側に巻き込んだ環状状態で血圧測定を行う血圧計において、前記カフを縮径させる締め付けベルトを有し、前記カフの一端部と他端部の擦れ合う表面の少なくとも一方の表面であって、前記締め付けベルトが重なる領域に滑り手段を設けた構成としてある。
このようにすると、まず、ベルトによってカフが環状状態で腕に締め付けられ、続いて、空気袋に空気が送入されると、腕を圧迫しようとする力の反作用により、カフの一端部と他端部が離れる方向に移動する。この際、滑り手段によって、カフの一端部と他端部とが擦れることなく滑ってくれるので、カフどうしの擦れによるノイズの発生が抑えられる。したがって、カフ圧力の自動加圧の信頼性を大幅に向上させることができる。
【手続補正５】
【補正対象書類名】明細書
【補正対象項目名】００１６
【補正方法】変更
【補正の内容】
【００１６】
また、好ましくは、前記滑り手段が、複数の回転部材を備えるとよい。
このようにすると、複数の回転部材によって、擦れによるノイズをより確実に低減することができる。
また、さらに好ましくは、複数の回転部材がカフの先側（例えば、上腕に対する手首側）から元側（例えば、上腕に対する肩側）にわたって配設されているとよい。このようにすると、カフが装着される腕が、先側と元側とで太さが異なり、滑り量が先側と元側とで大きく異なる場合であっても、先側の回転部材と元側の回転部材とで回転量を変えることができ、擦れによるノイズをさらに確実に低減することができる。
【手続補正６】
【補正対象書類名】明細書
【補正対象項目名】００２７
【補正方法】変更
【補正の内容】
【００２７】
締付手段５は、コア２及び空気袋３などを上腕に締め付け、その締め付け状態を保持する手段であり、締付け用ベルト５１、撮み５２、基台５３及び開放レバー５４などを備えている。
基台５３は、接着や溶着などによりコア２のほぼ中央部に取り付けられている。締付け用ベルト５１は、一端が基台５３に連結され、コア２と外カバー２２に挟まれた状態で一端部側まで収められている。また、外カバー２２と棒部材４３の間から外側に突出した締付け用ベルト５１は、撮み５２と連結されたピニオン（図示せず）にラックが係合している。
上記構成の締付手段５は、撮み５２が時計回り方向に回されると、締付け用ベルト５１が、コア２及び空気袋３などが縮径するように締め付け、その締付け状態を保持する。そして、血圧が測定され、開放レバー５４が押下されると、締付け状態を開放する。
【手続補正７】
【補正対象書類名】明細書
【補正対象項目名】００４１
【補正方法】変更
【補正の内容】
【００４１】
また、第一実施形態では、起毛生地６１からなるクッション部材６と、棒部材４３とを組み合せたが、起毛生地６１からなるクッション部材６と、回転部材４１及び軸４２を有する第二実施形態の滑り手段４とを組み合せてもよい。また、起毛生地６１からなるクッション部材６は、カフに単独で設けることも可能である。